(57)【要約】 【課題】過酷な作業環境においても使用することができ、かつジャッキのピストンロッドの変位量を作業中に随時確認することのできる簡単で安価なジャッキを提供すること。 【解決手段】ジャッキボディと、このジャッキボディに進退自在に嵌設されたピストンロッドと、ジャッキボディの外周よりも大きい内周を有し、ピストンロッドの先端部近傍に一端がサドルを介して固定され他端が開口されたジャッキボディの外周側面の少なくとも一部分を覆う保護カバーと、前記ジャッキボディの外周側面に設けられた目盛り部とを備え、保護カバーの他端と目盛り部とによりピストンロッドの進退変位量を表示するジャッキを構成する。【選択図】図１
2008223845.tif 000002
【特許請求の範囲】
【請求項１】
ジャッキボディと、
該ジャッキボディに進退自在に嵌設されたピストンロッドと、
前記ジャッキボディの外周よりも大きい内周を有し、前記ピストンロッドに一端が固定手段を介して固定され他端が開口された前記ジャッキボディの外周側面の少なくとも一部分を覆う保護カバーと、
前記ジャッキボディの外周側面に設けられた目盛り部と、を備え、
前記保護カバーの他端と前記目盛り部とにより前記ピストンロッドの進退変位量を表示するジャッキ。
【請求項２】
前記保護カバーの前記一端が前記ピストンロッドの先端部近傍にサドルを介して固定されている請求項１に記載のジャッキ。
【請求項３】
前記ピストンロッドが進退動作する際に、前記ジャッキボディから突出した前記ピストンロッド部分の全体が覆われるように前記保護カバーを設ける請求項１又は２に記載のジャッキ。
【請求項４】
前記ピストンロッドの進退動作に連動して前記保護カバーの他端が前記目盛り部に対して変位することにより前記ピストンロッドの進退変位量を表示する請求項１乃至３のいずれかに記載のジャッキ。
【請求項５】
円筒型のジャッキボディと、
該ジャッキボディに進退自在に嵌設されたピストンロッドと、
前記ジャッキボディの外径より大きい内径を有し、前記ピストンロッドの進退動作により前記ジャッキボディから突出したピストンロット部分の全体及び前記ジャッキボディの外周側面の一部分を覆う円筒型の保護カバーと、
前記ジャッキボディの外周側面に設けられた目盛り部と、を備え、
前記円筒型保護カバーが上端及び下端を有し、該上端が前記ピストンロッドの先端部近傍にサドルを介して固定され、前記下端が円筒型の開口端であり、前記ピストンロッドの進退動作に合わせて該下端が前記目盛り部に近接して変位するよう配置したジャッキ。
【請求項６】
前記保護カバーが、剛性の非弾性部材からなる請求項１乃至５のいずれかに記載のジャッキ。
【請求項７】
前記目盛り部が、前記ピストンロッドの進退変位の進行方向順及び退行方向順の目盛りが付されている目盛りからなる請求項１乃至６のいずれかに記載のジャッキ。
【請求項８】
前記目盛り部が少なくとも２つの位置に設けられている請求項１乃至７のいずれかに記載のジャッキ。
【請求項９】
前記ジャッキ本体の基部側に前記ジャッキボディを部分的に覆うカバーを備え、該カバーの外周を前記保護カバーの外周より大きく構成した請求項１乃至８のいずれかに記載のジャッキ。
【発明の詳細な説明】
【技術分野】
【０００１】
本発明はジャッキに関し、特に作業中に塵埃、溶接スパッタ、さらに外部からの工具や落下物等による衝撃などからピストンロッドを保護する保護カバーと、ピストンロッドの進退位置を示す目盛りを備えたジャッキに関する。
【背景技術】
【０００２】
図７は従来構成のジャッキ（シリンダ）を示している。図７に示したように、ジャッキ本体３０は、ジャッキボディ３１と、このジャッキボディ３１の内部に進退自在に嵌設されたピストンロッド３２と、このピストンロッドを塵埃等から保護するジャバラ（蛇腹状円筒体）３５を備えている。ジャバラ構造の保護カバーによりピストンロッドを保護する構成としては例えば特許文献１に記載されている。このジャバラ３５はピストンロッドの進退動作に合わせて伸縮できるようにゴム、布、合成樹脂等からなり、その両端面は一端がジャッキボディ３１の外周円筒部と固定バンド３８ｂにより固定され、他端がピストンロッド３２の外周円筒部と固定バンド３８ａにより固定されている。また、ジャッキ本体３０は荷重を受ける部分であるサドル３７を有し、かかるサドル３７はピストンロッド３２の先端ネジ部を保護する構成を有している。
【特許文献１】特開２００６−１６１９８０号公報
【発明の開示】
【発明が解決しようとする課題】
【０００３】
しかしながら、上記した通り、従来のジャッキのジャバラ３５はピストンロッド３２の進退動作に応じて伸縮できるようにゴム、布、合成樹脂等で形成されている。このため、このジャバラ３５が作業中にハンマー等の剛体工具によって外的衝撃を受けた場合、ピストンロッド３２の摺動円筒部に好ましくない傷や打痕が生じ、ジャッキ本体３０を駆動する気体や流体の漏洩を起こし、機械操作上の安全性や寿命に重大な支障をきたす恐れがある。また、溶接スパッタやグラインダによる研削火花などが飛散される場所でこのジャッキを使用する場合、これら溶接スパッタ等がジャバラ３５に飛散することでジャバラ３５が溶けて破損することがある。そして破損したジャバラ３５に溶接スパッタ等が飛散するとピストンロッド３２の円筒摺動部に溶着してしまい、その結果ピストンロッド３２が円滑に摺動できず、ジャッキが進退動作しなくなる場合もある。
【０００４】
さらに、図７に示した従来のジャッキにはピストンロッド３２の進退位置を表示する（読み取る）目盛りを有していない。特にジャッキにはその構造的な理由によりピストンロッド３２の進退ストローク量に制限がある。このため、ジャッキによりワークや構造物等の位置を決める際、その昇降量を随時確認しながら作業を行えれば作業の確実性や安全性を高めることができる。しかしながら、この図７に示した従来構成のジャッキではその進退位置を確認及び／又は読み取りを行う機構や構造を付加する構成とはなっておらず、またそのような機構や構造を付加することも困難である。このため従来では、このような進退位置を確認するために、ジャッキとは別にその位置を表示・測定・確認する機構を設ける必要があった。
【０００５】
本発明は、このような従来技術の問題点に鑑みてなされたものであり、過酷な作業環境、特に塵埃、溶接により生じるスパッタ、グラインダの研削作業により生ずる火花等が飛散する作業環境においても使用することができ、かつジャッキのピストンロッドの変位を作業中に随時確認することのできる簡単で安価なジャッキを提供することを目的とする。
【課題を解決するための手段】
【０００６】
このため、本発明に係るジャッキは、ジャッキボディと、このジャッキボディに進退自在に嵌設されたピストンロッドと、ジャッキボディの外周よりも大きい内周を有し、ピストンロッドに一端が固定手段を介して固定され、他端が開口したジャッキボディの外周側面の少なくとも一部分を覆う保護カバーと、ジャッキボディの外周側面に設けられた目盛り部とを備えており、保護カバーの開口した他端（開口端）と目盛り部とによりピストンロッドの進退変位量を表示する構成を有する。そして保護カバーは、ピストンロッドが進退動作する際にジャッキボディから突出したピストンロッド部分（ピストンロッドの上昇動作によりジャッキボディから出て露出したピストンロッド部分）の全体が覆われるように設ける。また、ピストンロッドの進退動作に連動して保護カバーの開口端が目盛り部に対して変位することによりピストンロッドの進退変位量を表示することができるように構成する。このような構成とすることで、塵埃、溶接スパッタ、グラインダによる火花等が飛散する作業環境で使用しても、ジャッキのピストンロットは保護カバーによって保護されているためジャッキの機械的操作や寿命に支障をきたすことはない。さらにこの保護カバーの開口端の位置変動とジャッキボディの外周側面に設けた目盛り部とによりピストンの変位量を目視により確認することもできる。
【０００７】
保護カバーの一端をピストンロッドに固定する位置としては、特に限定されないが、ピストンロッドの先端部近傍にサドルを介して保護カバーを固定するのが良い。この場合、ジャッキボディから突出した（露出した）ピストンロッド部分が全て保護カバーで覆われるため、ピストンロッドを外部環境からより確実に保護することができる。ただし、ピストンロッドが完全にジャッキボディに収容されない（ピストンロッドが最も下降した状態でもピストンロッドの一部がジャッキボディの外部に露出している）構成のジャッキなどの場合では、そのピストンロッドの露出部分はその摺動動作に影響しないため、必ずしも保護カバーで覆う必要はない。
【０００８】
保護カバーの材料としては、剛性の非弾性部材が好ましい。例えば鉄やステンレス等の剛性の非弾性部材であれば、塵埃は勿論、溶接スパッタやその他外部からの衝撃等に対してピストンロッドをより確実に保護することができる。
【０００９】
また、ジャッキ本体の基部側にジャッキボディを部分的に覆うカバーを備え、このカバーの外周を保護カバーの外周より大きく構成すると良い。かかる構成のジャッキであれば、ジャッキの設置方向を垂直方向に制限することなく使用できる。
【００１０】
さらに、上記目盛り部は、ピストンロッドの進退変位の進行方向順及び退行方向順の目盛り双方を付すと良い。これにより目盛りの読み取りが容易となる。また、この目盛り部をジャッキボディに少なくとも２箇所設けると多方向からこの目盛りを読み取ることができるようになる。
【００１１】
さらに、本発明のジャッキを特に円筒型のジャッキとしても良い。即ち、円筒型のジャッキボディと、このジャッキボディに進退自在に嵌設されたピストンロッドと、ジャッキボディの外径より大きい内径を有し、ピストンロッドの進退動作によりジャッキボディから突出したピストンロット部分の全体及びジャッキボディの外周側面の一部分を覆う円筒型の保護カバーと、ジャッキボディの外周側面に設けられた目盛り部とを備えており、円筒型保護カバーが上端及び下端を有し、保護カバーの上端がピストンロッドの先端部近傍にサドルを介して固定され、保護カバーの下端が円筒型の開口端であり、ピストンロッドの進退動作に合わせてこの下端が目盛り部に近接して変位するよう配置した構成のジャッキとしても良い。
【発明を実施するための最良の形態】
【００１２】
以下、本発明に係るジャッキの第１の実施形態について図面を参照しながら説明する。図１は本発明に係るジャッキ本体１の断面図である。本発明のジャッキ本体１は、ジャッキボディ６と、このジャッキボディ６に進退自在に嵌設されたピストンロッド２と、このピストンロッド２の先端部近傍に設けた荷重を受けるサドル７と、このサドル７に溶接や捩じ込み等によりその上端が固定された保護カバー５とを備えている。この保護カバー５はサドル７を介してピストンロッド２に固定され、かつ保護カバー５の下端は開口端でありどこにも固定されていない。このため、保護カバー５はピストンロッド２の進退動作に連動して動作するが、負荷の荷重を受けるのはサドル７とピストンロッド２であるため、この保護カバー５には負荷による外的な荷重は一切かからない。この保護カバー５は外部環境からピストンロッド２を保護するため、ピストンロッド２を覆うように構成されている。具体的にはピストンロッド２の進退動作によりピストンロッド２がジャッキボディ６から突出した部分（ジャッキボディ６に覆われていない上部側のピストンロット部分、以下「露出部分」と言う）を全て覆うように保護カバー５を設ける。ピストンロッド２の露出部分はロッド２の進退動作によって広がったり狭まったりするため、ピストンロッド２が最も上昇した（伸びた）状態においてこの露出部分を全て覆うように保護カバー５を設ける。これによりピストンロッド２がどのような進退動作状態にあってもピストンロッド２の露出部分が保護カバー５により常にカバーされることとなる。
【００１３】
この保護カバー５は剛性の非弾性部材から構成すると良い。例えば鉄やステンレス等の金属から構成する。保護カバー５をかかる剛性の非弾性部材とすることで、外部からの衝撃や塵埃、溶融金属などの飛散からピストンロッド２をより確実に保護することができる。
【００１４】
また、保護カバー５の内周は、ジャッキボディ６の外周より大きく構成する。即ち、ジャッキボディ６の外周面と保護カバー５の内周面との間に適度な隙間を設けた構成とする。かかる構成とすることで、サドル７を介してピストンロッドと連動して進退（上下）動作する保護カバー５が、ジャッキボディ６により妨げられることなくスムーズに進退動作することができる。
【００１５】
なお、本実施形態では保護カバー５をピストンロッド２の先端部近傍にサドル７を介して固定しているが、これに限定されない。例えば、ピストンロッド２の摺動動作に影響を及ぼさないロッド部分（例えばピストンロッド２の摺動動作中に常にジャッキボディ６の外部にあり常に露出されているロッド部分）は必ずしも保護カバー５で覆う必要はない。このような場合、必要のある部分のみ保護カバー５で覆うようにピストンロッド２の一部に固定手段を介して保護カバー５を固定すれば良い。
【００１６】
本発明のジャッキでは、上記保護カバー５に加え、図２（ａ）、（ｂ）に示したように、ジャッキボディ６にピストンロッド２の進退位置を表示（確認、測定）するための目盛り２０を設けている。ここで図２（ａ）はジャッキのピストンロッド２が原点位置にある状態、即ち、ピストンロッド２が最も退行（下降）した状態を示しており、図２（ｂ）はジャッキのピストンロッド２が進行（上昇）した状態、具体的には図中の目盛りで４０程度上昇した状態を示している。このように、保護カバー５はピストンロッド２の進退動作と連動して動作し、保護カバー５の開口端（サドル７に固定された上端と反対側の開口端）は、ピストンロッド２の変位量を示す目盛りの指針として機能する。即ち、保護カバー５の開口端と目盛り２０はピストンロッド２の変位量を定量的に（数値として）示す変位表示手段として機能する。また、ピストンロッド２の進退量はジャッキの構造により制限されるが、この目盛り２０と保護カバー５の開口端の位置とによって、ピストンロッド２の進退ストロークの余裕代を表示（確認）することもできる。
【００１７】
なお、上記のように保護カバー５の開口端と目盛り２０とによりピストンロッド２の変位量を表示する構成とするには、保護カバー５の開口端を常に（ピストンロッド２の進退動作状態にかかわらず）ジャッキボディ６に設けられた目盛り２０と近接した位置に来るように配置することが必要である。
【００１８】
ジャッキボディ６の外周側面に設けるこの目盛り２０は、レーザにより直接刻印して形成することができる。また図３に示したように、目盛りを印刷したラベル等をジャッキボディ６に貼り付けることで設けることもできる。
【００１９】
この目盛り２０はジャッキボディ６の複数カ所に設けても良い。図４はＡ、Ｂ、Ｃ、Ｄの４箇所に目盛り２０を設けたジャッキ本体１を上部から見た場合を示している。このように構成することでピストンロッド２の変位量を多角方から読み取ることができる。またこの目盛りは図３に示したようにピストンロッド２の進退（昇降）方向に対して昇順及び降順の目盛りの両方を併記しても良い。こうすることで変位量を容易に読み取ることが可能となる。
【００２０】
なお、本実施形態では特に図４に示したように円筒型のジャッキ本体１を示している。本発明は円筒型のジャッキに限らず様々な形状のジャッキに適用することができるが、円筒型ジャッキは一般的な構成であり、より好ましい形態であるためここでその具体的構成を説明する。この円筒型ジャッキ本体１は、円筒型の保護カバー５を有している。この保護カバー５の上端はピストンロッド２の先端部近傍にサドル７を介して接続され、その下端は開口端であり、ピストンロッド２の進退動作に連動して動作する。円筒型の保護カバー５はジャッキボディ６から突出したピストンロッド２を覆って保護すると共に、円筒型のジャッキボディ６の一部を覆うように配置される。この際、ジャッキボディ６の外径を保護カバー５の内径より僅かに短く構成する。これにより保護カバー５はジャッキボディ６の外周の一部を覆った状態でピストンロッド２の進退動作に合わせてスムーズに動作できる。即ち、保護カバー５の下端が目盛り２０上をスムーズに変位でき、ピストンロッド２の変位量を表示する変位表示手段が構成される。
【００２１】
次にジャッキの動作について説明するが、周知技術であるため簡単に説明する。ジャッキは、カプラー１９から供給される液体又は気体の駆動媒体により動作される。ジャッキ内部はバックアップリング１６及びパッキン１７ならびにナット９及びガスケット１０により外部の大気から離隔、気密にされており、カプラー１９から供給する駆動媒体によりジャッキ内部の圧力を高くすることでピストンロッド２を上昇できる。ただし、ジャッキボディ６の内側面にはピストンロッド２の飛び出しを防止するストップリング４が設けられているため、ピストンロッド２の上昇量はこのストップリング４により制限される。一方、ジャッキ内部の圧力を下げることでピストンロッド２を戻すことができるように、ピストンロッド２の内部の円筒状のバネ室内に戻りバネ１４が備え付けられている。この戻りバネ１４は固定螺子３及び８により取り付けられ、ピストンロッド２の進退動作に追従して伸縮動作する。
【００２２】
図５（ａ）、（ｂ）は本発明の第２の実施の形態を示している。これらの図に示したように、本実施形態のジャッキ本体１はジャッキボディ６の基部側にこのジャッキボディ６を部分的に覆うにカバー１８を備えている。このカバー１８の外周形状は保護カバー５の外周形状より大きく（幅、径を大きく）構成する。このように構成することで本実施形態に係るジャッキでは、ジャッキの設置方向を垂直方向に制限することなく作動させることができる。例えば図５（ｂ）に示したように本発明に係るジャッキ本体１を水平方向に設置して使用すると、カバー１８が保護カバー５よりその外周形状が大きいため、基準面Ｈと保護カバー５の外周面との間に隙間Ｘを設けることができる。このため、保護カバー５が基準面Ｈと擦れることなく、ピストンロッド２は自由に進退動作することができる。なお、本発明のジャッキは垂直、水平方向以外の方向に設置して使用することも可能である。
【００２３】
以上本発明の実施の形態について説明したが、本発明はこれに限定されるものではなく、特許請求の範囲の記載の範囲内において各種の変形、変更が可能であることは当業者には自明である。例えば、本発明は、駆動源がエアー、ガス、油、電動モーター等のいずれを用いたジャッキであっても使用することができる。また、本発明の保護カバー及び目盛りは様々な形状のジャッキに適用できる。例えば、円筒形状の他、三角柱、四角柱、五角柱等及びこれらを組み合わせた形のジャッキなどに適用できる。
【００２４】
また本発明の構成は一般のジャッキにも容易に適用することができる。図６（ａ）は一般的なポンプ一体式ジャッキを示したものであるが、図６（ｂ）に示したように、これら一般の既製のジャッキであっても本発明の保護カバー４５及び目盛り４０を後から付加することが可能である。
【図面の簡単な説明】
【００２５】
【図１】本発明の第１の実施形態に係るジャッキ本体の断面図である。
【図２ａ】本発明に係る保護カバーと目盛りを備えたジャッキ本体であり、ピストンロッドが原点位置にある状態のジャッキ本体を示す側面図である。
【図２ｂ】本発明に係る保護カバーと目盛りを備えたジャッキ本体であり、ピストンロッドが上昇している状態のジャッキ本体を示す側面図である。
【図３】本発明に係る目盛り用のラベルを示す図である。
【図４】本発明に係るラベルを複数カ所付加したジャッキ本体の上面図である。
【図５ａ】本発明の第２の実施形態に係るジャッキ本体の断面図である。
【図５ｂ】本発明の第２の実施形態に係るジャッキ本体の使用態様を示す側面図である。
【図６ａ】一般的なポンプ一体式ジャッキを示す側面図である。
【図６ｂ】一般的なポンプ一体式ジャッキに本発明に係る保護カバーと目盛りを設けたジャッキ本体を示す側面図である。
【図７】従来のジャッキの一例を示す側面図である。
【符号の説明】
【００２６】
Ｗ    ワーク又は構造物
Ｇ    ジャッキ設置面
Ｘ    隙間
Ｈ    基準面
１、３０    ジャッキ本体
２、３２、４２    ピストンロッド
３、８    固定螺子
４    ストップリング
５、４５    保護カバー
６、３１、４１    ジャッキボディ
７、３７    サドル
９、４４    ナット
１０    ガスケット
１４    戻りバネ
１６    バックアップリング
１７    パッキン
１９    カプラー
２０、２０ａ、２０ｂ、２０ｃ、２０ｄ、４０    目盛り
３５    ジャバラ
３８ａ、３８ｂ  固定バンド
４３    一体式ポンプ
４７    アジャストサドル
【図１】
2008223845.tif 000003
【図２ａ】
2008223845.tif 000004
【図２ｂ】
2008223845.tif 000005
【図３】
2008223845.tif 000006
【図４】
2008223845.tif 000007
【図５ａ】
2008223845.tif 000008
【図５ｂ】
2008223845.tif 000009
【図６ａ】
2008223845.tif 000010
【図６ｂ】
2008223845.tif 000011
【図７】
2008223845.tif 000012